(57)【要約】【課題】空および太陽が窓を通して部屋を照明するときに自然界で起こる状況を人工的に再現できる照明装置を提供すること。【解決手段】照明装置は、可視光を照射する第一光源と、第一光源が照射する前記可視光を散乱させる散乱部材とを備え、第一光源は、可視光を照射する第一発光チップと、第一発光チップよりも色温度が低い色温度の光を照射する第二発光チップとを備える素子である。【選択図】図２
2019075331.tif 000002
【特許請求の範囲】
【請求項１】
可視光を照射する第一光源と、
前記第一光源が照射する前記可視光を散乱させる散乱部材とを備え、
前記第一光源は、
色温度の異なる複数の発光チップを備えることを特徴とする、照明装置。
【請求項２】
前記発光チップは、
可視光を照射する第一発光チップと、
前記第一発光チップよりも色温度が低い色温度の光を照射する第二発光チップである、請求項１に記載の照明装置。
【請求項３】
前記第一発光チップと前記第二発光チップの点灯を個別に制御することが可能な制御部を更に備える、請求項１又は請求項２に記載の照明装置。
【請求項４】
前記散乱部材は、１ｐｐｍから３０００ｐｐｍの無機酸化物を含む、請求項１から請求項３のいずれか一項に記載の照明装置。
【請求項５】
前記制御部は、前記第一発光チップを点灯することで青空に太陽が見られる状況を再現し、前記第二発光チップを点灯することで夕暮れに太陽が見られる状況を再現する、請求項４に記載の照明装置。
【請求項６】
ユーザの操作に応じて、前記照明装置に、青空に太陽が見られる状況を再現する命令と、夕暮れに太陽が見られる状況を再現する命令とのいずれかを含む制御信号を送信するリモートコントローラと、
前記リモートコントローラが送信した前記制御信号を受信する受信部と
を更に備え、
前記制御部は、前記受信部が受信した前記制御信号に含まれる命令に基づいて、青空に太陽が見られる状況を再現する命令が含まれる場合には前記第一発光チップを点灯し、夕暮れに太陽が見られる状況を再現する命令が含まれる場合には前記第二発光チップを点灯する、請求項４又は請求項５に記載の照明装置。
【請求項７】
前記第一発光チップは２００００Ｋ−２５０００Ｋの色温度を有し、前記第二発光チップは２５００Ｋ−３５００Ｋの色温度を有する、請求項１から請求項６のいずれか一項に記載の照明装置。
【請求項８】
前記第一光源とは異なる方向から、前記散乱部材へ、前記第一光源よりも色温度が低い光を照射する第二光源とを備えることを特徴とする、請求項１から請求項７のいずれか一項に記載の照明装置。
【発明の詳細な説明】
【技術分野】
【０００１】
本発明の実施形態は、照明装置に関する。
【背景技術】
【０００２】
太陽光などの自然光を再現した照明システムが知られている。この照明システムは、単色の白色発光ダイオード(light emitting diode: LED)を昼間の太陽と同じ波長に調整することで、昼間の太陽光のような光を作り出している。照明システムを、閉じた環境の中で使用することによって、視覚的な快適さを与えることができる。
【０００３】
自然光を再現した照明システムに関して、可視光のビームを放出する第１の光源と、光ビームを受け取る内面および外面によって境界画定された拡散光発生器であり、光ビームに対して少なくとも部分的に透明な拡散光発生器とを含む照明システムが知られている（例えば、特許文献１参照）。
【先行技術文献】
【特許文献】
【０００４】
【特許文献１】特表２０１６−５１４３４０号公報
【発明の概要】
【発明が解決しようとする課題】
【０００５】
前述した照明システムは、空および太陽が窓を通して部屋を照明するときと同様の状況を、ユーザに知覚させる。しかし、空および太陽が窓を通して部屋を照明するときと同様の状況には、太陽が移動する状況が含まれる。
【０００６】
本発明は、上記問題を解決すべくなされたもので、空および太陽が窓を通して部屋を照明するときに、朝から昼間を経て夕暮れの自然界で起こる状況を人工的に再現できる照明装置を提供することを目的とする。また、満月での月明かりも人工的に再現することを目的とする。
【課題を解決するための手段】
【０００７】
上記問題を解決する本発明の一態様は、可視光を照射する第一光源と、前記第一光源が照射する前記可視光を散乱させる散乱部材とを備え、前記第一光源は、色温度の異なる複数の発光チップを備えることを特徴とする、照明装置である。
【発明の効果】
【０００８】
本発明の実施形態によれば、空および太陽が窓を通して部屋を照明するときに自然界で起こる状況を人工的に再現できる照明装置を提供することができる。また、満月での月明かりも人工的に再現できる。
【図面の簡単な説明】
【０００９】
【図１】実施形態の照明素子の一例を示す概略図である。
【図２】実施形態の照明装置の一例（その１）を示す概略図である。
【図３】実施形態の照明素子のリモートコントローラの一例を示す機能ブロック図である。
【図４】実施形態の照明装置のリモートコントローラの操作部の一例を示す模式図である。
【図５】実施形態の照明装置の動作の一例を示すシーケンスチャートである。
【図６】実施形態の照明装置の一例（その２）を示す概略図である。
【発明を実施するための形態】
【００１０】
次に、実施形態に係る照明装置を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
【００１１】
（実施形態）
（第一光源）
図１は、第一光源の実施例を示す概略図である。第一光源５００は、日の出から夕暮れの空、及び満月での月明かりの状況を人工的に再現する装置の光源となる。第一光源５００は、複数の第一発光チップ５０３と第二発光チップ５０４と、本体５０６とを含む。
【００１２】
第一発光チップ５０３は、ＬＥＤ素子である。第一発光チップ５０３は、２００００Ｋから２５０００Ｋの色温度の光を照射する。第二発光チップ５０４も、ＬＥＤ素子である。第二発光チップ５０４は、２５００Ｋから３５００Ｋの色温度の光を照射する。第一発光チップ５０３と、第二発光チップ５０４は図１のようにばらばらに配置されてもよいが、上下又は左右に二分するようにまとめて配置されていてもよい。
以下、第一光源５００を適用した照明装置の例について説明する。
【００１３】
（照明装置（その１））
図２は、実施形態の照明装置の一例（その１）を示す概略図である。照明装置３００ａは、リモートコントローラ２００が送信する制御信号にしたがって、その照明装置３００ａが設置された部屋などの空間に、青空が見られる状況、青空に太陽が見られる状況、夕暮れに太陽が見られる状況、および満月での月明かりの状況を人工的に再現する。照明装置３００ａの一例は、部屋の天井に設置され、該天井から、室内を照明する。
【００１４】
照明装置３００ａは、第一光源５００と、散乱部材３４５と、受信部３５０と、制御部３６０と、筐体３７０とを備える。第一光源５００と制御部３６０との間は、制御線３１４によって接続される。
【００１５】
第一光源５００と、制御線３１４と、散乱部材３４５と、受信部３５０と、制御部３６０は、筐体３７０の内部に実装される。
【００１６】
第一光源５００は、発光面を向けている方向３１２へ、可視光を照射する。第一光源５００は、第一発光チップ５０３を点灯し、その第一発光チップ５０３の色温度を調整する。この場合、第一発光チップ５０３は、例えば２００００Ｋ−２５０００Ｋの色温度を有する光を照射する。また、第一光源５００は、第二発光チップ５０４を点灯し、その第二発光チップ５０４の色温度を調整する。この場合、第二発光チップ５０４は、例えば２５００Ｋ−３５００Ｋの色温度を有する光を照射する。
【００１７】
散乱部材３４５は、平板の形状を有し、筐体３７０の開口部３７１から、平板の一面が見えるように配置される。散乱部材３４５は、基材の主な材料である第一材料と、その基材に添加される第二材料とを含む。
【００１８】
第一材料は、光学的透過性を有する樹脂によって構成される。第一材料は、熱可塑性樹脂、熱硬化性樹脂、光硬化性樹脂、アクリル樹脂、エポキシ樹脂、ポリエステル樹脂、ポリスチレン樹脂、ポリオレフィン樹脂、ポリアミド樹脂、ポリイミド樹脂、ポリビニル樹脂、ブチラール樹脂、フッ素系樹脂、酢酸ビニル樹脂、シリコーン樹脂、アクリルスチレン樹脂、又は、ポリカーボネート、液晶ポリマー、ポリフェニレンエーテル、ポリスルホン、ポリエーテルスルホン、ポリアリーレート、非晶性ポリオレフィンなどのプラスチック類、又は、それらの混合物又はコポリマのいずれかを含む。
【００１９】
第二材料は、例えば、ＺｎＯ、ＴiＯ２、ＺｒＯ２、ＳｉＯ２、Ａｌ２Ｏ３などの無機酸化物である。第二材料は、第一材料とは異なる屈折率を有している。第一材料に対する第二材料の割合は、第二材料の粒径や第一材料の板のサイズにもよるが１ｐｐｍから３０００ｐｐｍであり、５０ｐｐｍから１５０ｐｐｍと、１０００ｐｐｍから３０００ｐｐｍとがより好ましい。さらに、ある条件では第一材料に対する第二材料の割合は、６０ｐｐｍから１２０ｐｐｍが最も好ましい結果が得られた。また、ある条件では第二材料の結晶子径は１５ｎｍから２５０ｎｍが最も好ましい結果が得られた。
受信部３５０は、後述するリモートコントローラ２００が送信した制御信号を受信し、該制御信号を制御部３６０へ出力する。
制御部３６０は、受信部３５０が出力した制御信号を取得し、該制御信号に基づいて、第一光源５００を制御する。具体的には、取得した制御信号に基づいて、第一発光チップ５０３と第二発光チップ５０４のいずれか一方あるいは両方の点灯および色温度の調整と、消灯とを行う。
【００２０】
筐体３７０は、その筐体３７０の内側が、入射した光を吸収することができる材料でコーティングされる。具体的には、筐体３７０の内側は、黒色で、可視範囲における吸収係数が７０％よりも高く、好ましくは９０％よりも高く、より好ましくは９５％よりも高く、最も好ましくは９７％よりも高い材料で、コーティングされる。
【００２１】
筐体３７０の内側のコーティングは、第一光源５００が照射した光のうち直接に到来した光、第一光源５００が照射した光のうち散乱部材３４５で反射した光、第一光源５００が照射した光のうち散乱部材３４５で散乱した光などを吸収することを目的とする。また、筐体３７０の内側のコーティングは、筐体３７０の外部から到来した光のうち散乱部材３４５を透過した光などを吸収することを目的とする。
【００２２】
ここで、座標軸を定義する。地表面に平行で、且つ互いに直交する二つの方向をＸ軸とＹ軸とする。また、Ｘ軸とＹ軸とに垂直な鉛直方向をＺ軸とする。散乱部材３４５の長辺からなる面のうちの一方は、Ｘ軸とＹ軸に平行に、筐体３７０の開口部３７１から見えるように実装される。第一光源５００の発光面を向けている方向３１２はＺ軸方向である。以下、同様の座標軸で説明する。
【００２３】
（照明装置３００ａの照明例）
制御部３６０は、第一発光チップ５０３又は第二発光チップ５０４を点灯する制御と、点灯した第一発光チップ５０３又は第二発光チップ５０４の色温度を調整する制御を行う。具体的には、制御部３６０は、第一発光チップ５０３を点灯することによって、青空が見られる状況を再現する。さらに、制御部３６０は、第一発光チップ５０３が照射する色温度を調整することによって、青空に太陽が見られる状況を再現する。また、制御部３６０は、第二発光チップ５０４を点灯することによって、夕暮れに太陽が見られる状況を再現する。さらに、制御部３６０は、第二発光チップ５０４が照射する色温度を調整することによって、満月の月明かりの状況を再現する。以下、各状況を再現する場合について、具体的に説明する。
【００２４】
制御部３６０は、制御信号に青空が見られる状況を再現する命令が含まれる場合に、第一の発光チップ５０３を点灯させる命令と、色温度を設定する命令とを含む制御信号を作成し、該制御信号を制御線３１４へ出力する。
制御部３６０が制御線３１４へ出力した制御信号にしたがって、第一の発光チップ５０３を点灯させ、点灯させた第一の発光チップ５０３の色温度を調整する。
第一光源５００が発光面を向けている方向３１２へ照射した光は、散乱部材３４５によって、レイリー散乱される。散乱部材３４５によって、波長の短い青色の光が特に強く散乱されるため、散乱部材３４５がレイリー散乱した光は、青く見える。このため、散乱部材３４５を通じて開口部３７１から照射される光によって、青空を再現することができる。
【００２５】
制御部３６０は、受信部３５０が出力する制御信号に、青空に太陽が見られる状況を再現する命令が含まれる場合に、第一発光チップ５０３を点灯させる命令と、色温度を設定する命令とを含む制御信号を作成し、該制御信号を制御線３１４へ出力する。ここで、色温度は、青空が見られる状況よりも高い値である。
制御部３６０が制御線３１４へ出力した制御信号にしたがって、第一発光チップ５０３を点灯させ、点灯させた第一の発光チップ５０３の色温度を調整する。
【００２６】
第一光源５００が発光面を向けている方向３１２へ照射した光は、散乱部材３４５によって、レイリー散乱される。散乱部材３４５によって、波長の短い青色の光が特に強く散乱されるため、散乱部材３４５がレイリー散乱した光は、青く見える。このため、散乱部材３４５を通じて開口部３７１から照射される光によって、青空を再現することができる。さらに、色温度が、青空が見られる状況よりも高い値に調整されることによって、第一光源５００が照射した光は、散乱部材３４５を通じて、太陽のように見える。このため、散乱部材３４５を通じて開口部３７１から照射される光は、太陽を再現することができる。したがって、照明装置３００ａの開口部３７１から照射される光によって、青空に太陽が見られる状況を再現することができる。
【００２７】
制御部３６０は、制御信号に、夕暮れに太陽が見られる状況を再現する命令が含まれる場合に、第二発光チップ５０４を点灯させる命令と、色温度を設定する命令を含む制御信号を作成し、該制御信号を制御線３１４へ出力する。
制御部３６０が制御線３１４へ出力した制御信号にしたがって、第二発光チップ５０４を点灯させ、点灯させた第二発光チップ５０４の色温度を調整する。
【００２８】
第一光源５００が発光面を向けている方向３１２へ照射した光は、散乱部材３４５によって散乱される。散乱部材３４５によって散乱した光は、橙色に見える。さらに、第一光源５００が照射した光は、散乱部材３４５を通じて、太陽のように見える。このため、散乱部材３４５を通じて開口部３７１から照射される光によって、夕暮れに太陽が見られる状況を再現することができる。
【００２９】
制御部３６０は、受信部３５０が出力する制御信号に、満月の月明かりが見られる状況を再現する命令が含まれる場合に、第二発光チップ５０４を点灯させる命令と、色温度を設定する命令を含む制御信号を作成し、該制御信号を制御線３１４へ出力する。
制御部３６０が制御線３１４へ出力した制御信号にしたがって、第二発光チップ５０４を点灯させ、点灯させた第二発光チップ５０４の光量を、夕方の状況に応じた値よりも低い値に調整する。このため、照明装置３００ａの開口部３７１から照射される夕方よりも弱い光によって、レイリー散乱光が微弱になり青色が見えなくなるので、バックの黒い背景の中に月明かりが浮かぶ（真っ暗の中に、ほのかに光る満月が見られる）状況を人工的に再現することができる。
【００３０】
（リモートコントローラ）
リモートコントローラ２００は、ユーザの操作に応じて、照明装置３００ａを制御する命令である制御情報を含む制御信号を生成し、生成した制御信号を、照明装置３００ａへ送信する。
【００３１】
図３は、実施形態のリモートコントローラの一例を示す機能ブロック図である。リモートコントローラ２００は、操作部２１０と、制御部２４０と、送信部２５０と、上記各構成要素を図３に示されているように電気的に接続するためのアドレスバスやデータバスなどのバスライン２７０とを備える。
【００３２】
操作部２１０は、ユーザの操作を受け付ける入力デバイスである。操作部２１０は、ユーザの操作を受け付け、受け付けたユーザの操作を示す情報を、制御部２４０に出力する。
【００３３】
図４は、実施形態のリモートコントローラの操作部の一例を示す模式図である。図４に示される例では、リモートコントローラ２００は、ＯＮボタン２６０と、ＯＦＦボタン２６２と、朝ボタン２６４と、昼ボタン２６６と、夕方ボタン２６８と、月明かりボタン２７１と、自動ボタン２７２と、太陽調節バー２７４と、時刻調節バー２７６とを有する。
【００３４】
ユーザが、朝ボタン２６４、昼ボタン２６６、夕方ボタン２６８、月明かりボタン２７１のいずれかを押した場合、太陽調節バー２７４と、時刻調節バー２７６との操作が可能にされる。ユーザが、太陽調節バー２７４を操作することによって、操作部２１０は、第一光源５００の色温度を示す情報を作成する。また、ユーザが、時刻調節バー２７６を操作することによって、操作部２１０は、時刻を示す情報を作成する。時刻調節バー２７６は、０時から２４時との間で、時刻を調節ができる。操作部２１０は、作成した情報を、制御部２４０へ出力する。
【００３５】
ユーザが、自動ボタン２７２を押した場合、太陽調節バー２７４と、時刻調節バー２７６との操作はできないようにされる。これは、自動ボタン２７２が押された場合には、時刻情報に基づいて、第一光源５００の色温度及び光量の調整が自動的に行われるため、太陽の色温度や、時刻が変更されるのは好ましくないためである。
【００３６】
図３に戻り、説明を続ける。制御部２４０は、操作部２１０が出力した情報を取得し、該情報に基づいて、制御信号を作成する。
【００３７】
制御部２４０は、朝ボタン２６４が押されたことを示す情報を取得した場合には、青空が見られる状況を再現する命令を含む制御信号を作成する。制御部２４０は、昼ボタン２６６が押されたことを示す情報を取得した場合には、青空に太陽が見られる状況を再現する命令を含む制御信号を作成する。制御部２４０は、夕方ボタン２６８が押されたことを示す情報を取得した場合には、夕暮れに太陽が見られる状況を再現する命令を含む制御信号を作成する。制御部２４０は、月明かりボタン２７１が押されたことを示す情報を取得した場合には、満月の月明かりが見られる状況を再現する命令を含む制御信号を作成する。制御部２４０は、自動ボタン２７２が押されたことを示す情報を取得した場合には、自動的に青空が見られる状況、青空に太陽が見られる状況、夕暮れに太陽が見られる状況、および満月の月明かりが見られる状況を再現する命令を含む制御信号を作成する。
【００３８】
また、制御部２４０は、時刻情報を取得した場合には、該時刻情報を含む制御信号を作成する。制御部２４０は、作成した制御信号を、送信部２５０へ出力する。送信部２５０は、制御部２４０が出力した制御信号を取得し、該信号を、照明装置３００ａへ送信する。
【００３９】
（照明装置の動作）
図５は、実施形態の照明装置の動作の一例を示すシーケンスチャートである。図５に示される例では、ユーザが、リモートコントローラ２００を操作することによって、ＯＮボタン２６０、ボタン、ＯＦＦボタン２６２の順に押した場合の動作を示す。ここで、ボタンは、朝ボタン２６４、昼ボタン２６６、夕方ボタン２６８、および月明かりボタン２７１のいずれかである。
【００４０】
（ステップＳ１０１）  ユーザが、ＯＮボタン２６０を押すと操作部２１０は、ＯＮボタン２６０が押されたことを示す情報を、制御部２４０へ出力する。
【００４１】
（ステップＳ１０２）  制御部２４０は、操作部２１０が出力したＯＮボタンが押されたことを示す情報を取得し、該情報に基づいて、ＯＮ命令を含む制御信号を作成し、該信号を、送信部２５０へ出力する。
【００４２】
（ステップＳ１０３）  送信部２５０は、制御部２４０が出力した制御信号を取得し、該信号を、照明装置３００ａへ送信する。
【００４３】
（ステップＳ１０４）  受信部３５０は、リモートコントローラ２００が送信した制御信号を受信し、該信号を、制御部３６０へ出力する。
【００４４】
（ステップＳ１０５）  制御部３６０は、制御信号に含まれるＯＮ命令を取得し、該命令にしたがって、照明装置３００ａの電源をＯＮにする。
【００４５】
（ステップＳ１０６）  ユーザが、ボタンを押すと、操作部２１０は、ボタンが押されたことを示す情報を、制御部２４０へ出力する。
【００４６】
（ステップＳ１０７）  制御部２４０は、操作部２１０が出力したボタンが押されたことを示す情報を取得し、該情報に基づいて、青空が見られる状況、青空に太陽が見られる状況、夕暮れに太陽が見られる状況、および満月の月明かりが見られる状況のいずれかを再現する命令を含む制御信号を作成し、該信号を、送信部２５０へ出力する。
【００４７】
（ステップＳ１０８）  送信部２５０は、制御部２４０が出力した制御信号を取得し、該信号を、照明装置３００ａへ送信する。
【００４８】
（ステップＳ１０９）  受信部３５０は、リモートコントローラ２００が送信した制御信号を受信し、該信号を、制御部３６０へ出力する。
【００４９】
（ステップＳ１１０）  制御部３６０は、制御信号に含まれる青空が見られる状況、青空に太陽が見られる状況、夕暮れに太陽が見られる状況、および満月の月明かりが見られる状況のいずれかを再現する命令を取得し、該命令にしたがって、制御信号を作成し、作成した制御信号を、発光部制御部５８０へ出力する。発光部制御部５８０は、該制御信号にしたがって、光源１１０の第一発光チップ５０３又は第二発光チップ５０４を点灯させる。
【００５０】
（ステップＳ１１１）  制御部３６０は、該制御信号にしたがって、発光させた第一発光チップ５０３又は第二発光チップ５０４の色温度が所定の値となるように調整する。
【００５１】
（ステップＳ１１２）  操作部２１０は、ＯＦＦボタン２６２が押されたことを検出し、該情報を、制御部２４０へ出力する。
【００５２】
（ステップＳ１１３）  制御部２４０は、操作部２１０が出力したＯＦＦボタン２６２が押されたことを示す情報を取得し、該情報に基づいて、ＯＦＦ命令を含む制御信号を作成する。制御部２４０は、該信号を、送信部２５０へ出力する。
【００５３】
（ステップＳ１１４）  送信部２５０は、制御部２４０が出力した制御信号を取得し、該信号を、照明装置３００ａへ送信する。
【００５４】
（ステップＳ１１５）  受信部３５０は、リモートコントローラ２００が送信した制御信号を受信し、該信号を、制御部３６０へ出力する。
【００５５】
（ステップＳ１１６）  制御部３６０は、制御信号に含まれるＯＦＦ命令を取得し、該命令にしたがって、照明装置３００ａの電源をＯＦＦにする。
【００５６】
図５に示すフローチャートにおいて、ステップＳ１１０の処理と、ステップＳ１１１の処理との順序を逆にしてもよい。図５に示されるシーケンスチャートによれば、照明装置３００ａは、青空が見られる状況、青空に太陽が見られる状況、夕暮れに太陽が見られる状況、および満月の月明かりが見られる状況を人工的に再現できる。
【００５７】
ユーザが、リモートコントローラ２００を操作することによって、ＯＮボタン２６０、自動ボタン２７２、ＯＦＦボタン２６２の順に押した場合の動作については、制御部２４０は、制御信号を作成し、該制御信号を、制御部３６０へ出力する。制御部３６０は現在の時刻情報を取得し、該現在の時刻情報に基づいて、図５に示される処理を行うことによって、青空が見られる状況、青空に太陽が見られる状況、夕暮れに太陽が見られる状況、および満月の月明かりが見られる状況を人工的に再現できる。
【００５８】
（照明装置（その２））
図６は、実施形態の照明装置の一例（その２）を示す概略図である。照明装置３００ｃは、リモートコントローラ２００が送信する制御信号にしたがって、その照明装置３００ｃが設置された部屋などの空間に、夕暮れに太陽が見られる状況、および満月での月明かりの状況を人工的に再現する。照明装置３００ｃの一例は、部屋の天井に設置され、該天井から、室内を照明する。
【００５９】
照明装置３００ｃは、第一光源５００と、第二光源３４０と、散乱部材３４５と、受信部３５０と、制御部３６０と、筐体３７０とを備える。第一光源５００と制御部３６０との間は、制御線３１４によって接続される。第二光源３４０と制御部３６０との間は、制御線３４４によって接続される。第一光源５００と、制御線３１４と、第二光源３４０と、制御線３４４と、散乱部材３４５と、受信部３５０と、制御部３６０とは、筐体３７０の内部に実装される。
【００６０】
第一光源５００は、発光面を向けている方向３１２へ、可視光を照射する。第一光源５００は、第二発光チップ５０４を点灯し、その第二発光チップ５０４の色温度を調整する。この場合、第一光源５００は、例えば２５００Ｋ−３５００Ｋの色温度を有する光を照射する。
第二光源３４０は、発光素子によって実現される。第二光源３４０は、発光面を向けている方向３４２へ、可視光を照射する。第二光源３４０は、例えば１００００Ｋ−３００００Ｋの色温度を有する光を照射する。
【００６１】
第二光源３４０の発光面を向けている方向３４２は、その発光面を向けている方向３４２とＺ軸とのなす角をθ３とすると、θ３は、６０度以上１２０度未満の方向であり、且つ散乱部材３４５の長辺を含む面とは異なる面に向かう方向であるのが好ましい。本実施形態では、Ｚ軸に垂直であり、且つ散乱部材３４５の長辺を含む面とは異なる面に向かう方向をＸ軸とする。また、第二光源３４０は、一般的な人の身長よりも高い地上から２ｍ以上の位置からのみ視認できる位置に設置される。
【００６２】
（照明装置３００ｃの照明例）
制御部３６０は、第一光源５００および第二光源３４０を点灯させる制御と、第一光源５００を点灯させる制御との間で切り替える。さらに、制御部３６０は、第一光源５００の色温度を調整する制御を行う。具体的には、制御部３６０は、第一光源５００と第二光源３４０とを点灯させることで、夕暮れに太陽が見られる状況を再現し、第一光源５００を点灯させることで、満月の月明かりが見られる状況を再現する。
【００６３】
制御部３６０は、制御信号に、夕暮れに太陽が見られる状況を再現する命令が含まれる場合に、第二発光チップ５０４を点灯させる命令と、色温度を設定する命令とを含む制御信号を作成し、該制御信号を制御線３１４へ出力する。さらに、制御部３６０は、第二光源３４０を点灯させる命令を含む制御信号を作成し、該制御信号を制御線３４４へ出力する。制御部３６０が制御線３１４へ出力した制御信号にしたがって、第二発光チップ５０４を点灯させ、該第二発光チップ５０４の色温度を調整する。制御部３６０が制御線３４４へ出力した制御信号によって、第二光源３４０が点灯する。
【００６４】
第一光源５００が発光面を向けている方向３１２へ照射した光は、散乱部材３４５によって散乱される。散乱部材３４５によって散乱した光は、橙色に見える。このため、散乱部材３４５を通じて開口部３７１から照射される光によって、夕方の空を再現することができる。また、第一光源５００が照射した光は、散乱部材３４５を通じて、太陽のように見える。このため、夕方の空に、白色ではなく橙色の太陽が見られる状況を再現する。
【００６５】
制御部３６０は、制御信号に、満月の月明かりの状況を再現する命令が含まれる場合に、第二発光チップ５０４を点灯させる命令と、色温度を設定する命令とを含む制御信号を作成し、該制御信号を制御線３１４へ出力する。
制御部３６０が制御線３１４へ出力した制御信号にしたがって、第二発光チップ５０４を点灯させ、該第二発光チップ５０４の色温度を調整する。ここで、色温度は、夕暮れに太陽が見られる状況を再現する場合よりも、低い値である。
【００６６】
第一光源５００が発光面を向けている方向３１２へ照射した光は、散乱部材３４５によって散乱される。散乱部材３４５によって散乱した光は、赤色に見える。このため、散乱部材３４５を通じて開口部３７１から照射される光によって、夕方の空を再現することができる。また、第一光源５００が照射した光は、散乱部材３４５を通じて、満月のように見える。したがって、開口部３７１から照射される光によって、夕方の空に満月の月明かりが見られる状況を再現することができる。
【００６７】
前述した実施形態において、リモートコントローラ２００は、照明装置３００ａ専用のものに限らず、パーソナルコンピュータ、携帯電話、タブレット、スマートフォン、ＰＨＳ、ＰＤＡなどの携帯機器によって実現されてもよい。
【００６８】
前述した実施形態においては、照明装置３００ａ、３００ｃが、天井に設置される場合について説明したが、この例に限られない。例えば、照明装置３００ａ、３００ｃが、壁や、床などに設置されてもよい。
【００６９】
前述した実施形態では、第一光源５００は、第一発光チップ５０３が８個と、第二発光チップ５０４が８個の合計１６個を備える場合について説明したが、この例に限られない。例えば、第一発光チップ５０３と第二発光チップ５０４の個数比が１：１５であったりしてもよく、また発光チップの合計が１７個以上であってもよい。
【００７０】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態及びその変形例は、発明の範囲や要旨に含まれると同時に、特許請求の範囲に記載された発明とその均等の範囲に含まれるものである。
【符号の説明】
【００７１】
２００…リモートコントローラ、２１０…操作部、２４０…制御部、２５０…送信部、２６０…ＯＮボタン、２６２…ＯＦＦボタン、２６４…朝ボタン、２６６…昼ボタン、２６８…夕方ボタン、２７０…バスライン、２７１…月明かりボタン、２７２…自動ボタン、２７４…太陽調節バー、２７６…時刻調節バー、３００ａ、３００ｃ…照明装置、５００…第一光源、３１２、３４２…発光面を向けている方向、３１４、３４４…制御線、３４０…第二光源、３４５…散乱部材、３５０…受信部、３６０…制御部、３７０…筐体、３７１…開口部、５０６…本体、５０３…第一発光チップ、５０４…第二発光チップ、５１０−１…第一ワイヤ、５１０−２…第二ワイヤ、５１２−１…第一配線、５１２−２…第二配線、５１４…バンク、５１６…基板
【図１】
2019075331.tif 000003
【図２】
2019075331.tif 000004
【図３】
2019075331.tif 000005
【図４】
2019075331.tif 000006
【図５】
2019075331.tif 000007
【図６】
2019075331.tif 000008